(57)【要約】      （修正有）【課題】受信機データを変更する場合に、運用中に受信機で変更されたデータを考慮した適切なデータ変更を可能とする。【解決手段】火災報知設備には、受信機１０から引き出された伝送路１２−１〜１２−３にアナログ火災感知器１４や連動機器を含む端末が接続され、受信機１０に端末のデータが受信機データ５０として記憶され、受信機データ５０を用いて火災を監視する。受信機データ５０は運用中にディスプレイ３６の画面を使用して変更される場合がある。受信機データ５０を変更する場合、相違データ検出部５２は、ＵＳＢメモリ５６から読み込まれた更新データ６０と受信機データ５０を端末単位に比較して相違する更新データと受信機データの組を検出し、データ変更部５４は、相違する更新データと受信機データを並べてディスプレイ３６に画面表示して何れか一方の選択を可能とし、選択された更新データ又は受信機データに変更する。【選択図】図１
2019200446.tif 000002
【特許請求の範囲】
【請求項１】
受信機から引き出された伝送路に火災感知器を含む端末が接続され、前記受信機に前記端末のデータが受信機データとして記憶され、前記受信機データを用いて火災を監視する火災報知設備に於いて、
前記受信機に、
外部から読み込まれた更新データと前記受信機データを端末単位に比較して相違する更新データと受信機データの組を検出する相違データ検出部と、
前記相違データ検出部により検出された相違する前記更新データと前記受信機データの組を画面表示して何れか一方の選択を可能とし、選択された前記更新データ又は前記受信機データに変更するデータ変更部と、
が設けられたことを特徴とする火災報知設備。
【請求項２】
請求項１記載の火災報知設備に於いて、
前記相違データ検出部は、所定のグループ分けに従って相違する前記受信機データと前記更新データの組を画面表示させることを特徴とする火災報知設備。
【請求項３】
請求項１記載の火災報知設備に於いて、
前記受信機は、前記火災報知設備の運用中に、前記受信機データを選択的に画面表示して変更する運用データ変更部を備えたことを特徴とする火災報知設備。
【請求項４】
請求項１記載の火災報知設備に於いて、
更に、前記データ変更部により変更された前記受信機データを読み出して外部の記憶媒体に記憶させるバックアップ部が設けられたことを特徴とする火災報知設備。
【請求項５】
請求項１記載の火災報知設備に於いて、
前記受信機に対しネットワーク回線を介して１又は複数の中継盤が接続され、前記中継盤から引き出された伝送路に火災感知器及び連動機器を含む端末が接続され、前記中継盤に前記端末のデータが中継盤データとして記憶され、前記中継盤データを用いて前記中継盤が火災を監視すると共に前記中継盤で火災を検出した場合に前記受信機に通知して火災警報を出力させる分散システムが構成されており、
相違データ検出部は、外部から読み込まれた中継盤更新データと前記中継盤に記憶された前記中継盤データを端末単位に比較して相違する中継盤更新データと中継盤データの組を検出し、
前記データ変更部により検出された相違する前記中継盤更新データと前記中継盤データの組を画面表示して何れか一方の選択を可能とし、選択された前記中継盤更新データ又は前記中継盤データを前記中継盤に送信して変更させることを特徴とする火災報知設備。
【請求項６】
請求項５記載の火災報知設備に於いて、
前記相違データ検出部は、所定のグループ分けに従って相違する前記中継盤データと前記中継盤更新データの組を画面表示させることを特徴とする火災報知設備。
【請求項７】
請求項５記載の火災報知設備に於いて、
前記受信機は、前記火災報知設備の運用中に、前記中継盤データを選択的に画面表示して変更する運用データ変更部を備えたことを特徴とする火災報知設備。
【請求項８】
請求項５記載の火災報知設備に於いて、
更に、前記受信機に、前記データ変更部により変更された前記中継盤データを読み出して外部の記憶媒体に記憶させるバックアップ部が設けられたことを特徴とする火災報知設備。
【発明の詳細な説明】
【技術分野】
【０００１】
本発明は、受信機から引き出された伝送路に固有のアドレスが設定された火災感知器や防排煙機器等の端末を接続して火災を監視する火災報知設備に関する。
【背景技術】
【０００２】
従来、Ｒ型として知られた火災報知設備にあっては、受信機から引き出された伝送路に、固有のアドレスが設定された伝送機能を有する火災感知器等の端末を接続し、火災検出時には、例えば火災感知器からの火災割込みに基づき、受信機から検索コマンドを発行して発報した火災感知器のアドレスを特定し、受信機で火災代表灯を点灯して主音響警報を出力し、更に、受信機に設けられたディスプレイに、火災発生メッセージ、火災発生場所、火災発生時刻、受信機操作ガイダンス等を表示した火災警報画面を表示させている。
【０００３】
また、Ｒ型の火災報知設備にあっては、受信機で火災監視制御を行うため、火災感知器のデータが必要であり、アドレス、煙か熱かの種別、ブロック番号、連動先、メッセージなどのデータを製造段階で火災感知器毎に準備し、ＵＳＢメモリ等の不揮発メモリに格納して受信機にセットし、受信機の電源投入に伴う立上げ時に、不揮発メモリからＲＡＭ等の揮発メモリに読出して展開し、火災監視に必要な受信機データを得るようにしている。
【０００４】
ところで、Ｒ型の火災報知設備にあっては、火災報知設備を設置した後の運用中に、設置している建物や施設のテナントが変わってフロアの間仕切り変更などで行われる場合、これに伴って火災感知器を例えばそれまでの熱感知器から煙感知器に変更したり、新たに火災感知器を追加したり、撤去する場合がある。
【０００５】
このような火災感知器の変更、追加、撤去に対しては、受信機に登録している受信機データを変更する必要があり、火災報知設備の設置時に使用した受信機データは製造元の工場等でパーソナルコンピュータで作成された後に保存していることから、前回の受信機データを火災感知器の変更、追加、撤去に応じて変更してＵＳＢメモリに格納し、受信機にセットして運能中の受信機データを変更するようにしている。
【０００６】
また、受信機データは受信機自体でも変更することが可能であり、受信機を通常の監視モードから保守点検のためのメンテナンスモードに変更し、ディスプレイに変更を必要とする受信機データをＲＡＭ等の揮発メモリから読み出して表示して変更するようにしている。
【先行技術文献】
【特許文献】
【０００７】
【特許文献１】特開２００７−２６５３５３号公報
【特許文献２】特開２００７−２１９８７０号公報
【発明の概要】
【発明が解決しようとする課題】
【０００８】
しかしながら、このような火災報知設備にあっては、火災感知器の変更、追加、撤去に応じて製造元で変更した受信機データを、ＵＳＢメモリに格納して受信機にセットして変更する場合、変更対象となる受信機データが運用中に受信機で変更されていた場合、製造元で変更対象とした受信機データには、受信機自体で変更された受信機データは反映されておらず、運用中に受信機で変更された受信機データが元の受信機データや別の受信機データに変更されてしまい、運用中に受信機自体で変更された受信機データが考慮されることなくデータ変更が行われてしまう問題がある。
【０００９】
本発明は、受信機データを変更する場合に、運用中に受信機で変更されたデータを考慮した適切なデータ変更を可能とする火災報知設備を提供することを目的とする。
【課題を解決するための手段】
【００１０】
（火災報知設備）
本発明は、受信機から引き出された伝送路に火災感知器及び連動機器を含む端末が接続され、受信機に端末のデータが受信機データとして記憶され、受信機データを用いて火災を監視する火災報知設備に於いて、
受信機に、
外部から読み込まれた更新データと受信機データを端末単位に比較して相違する更新データと受信機データの組を検出する相違データ検出部と、
相違データ検出部により検出された相違する更新データと受信機データの組を画面表示して何れか一方の選択を可能とし、選択された更新データ又は受信機データに変更するデータ変更部と、
が設けられたことを特徴とする。
【００１１】
（グループ分け表示）
データ変更部は、所定のグループ分けに従って相違する受信機データと更新データの組を画面表示させる。
【００１２】
（運用中の受信機データの変更）
受信機は、火災報知設備の運用中に、受信機データを選択的に画面表示して変更する運用データ変更部を備える。
【００１３】
（変更済みデータのバックアップ）
更に、データ変更部により変更された受信機データを読み出して外部の記憶媒体に記憶させるバックアップ部が設けられる。
【００１４】
（分散システムの中継盤データの変更）
受信機に対しネットワーク回線を介して１又は複数の中継盤が接続され、中継盤から引き出された伝送路に火災感知器及び連動機器を含む端末が接続され、中継盤に端末のデータが中継盤データとして記憶され、中継盤データを用いて中継盤が火災を監視すると共に中継盤で火災を検出した場合に受信機に通知して火災警報を出力させる分散システムが構成されており、
相違データ検出部は、外部から読み込まれた中継盤更新データと中継盤に記憶された中継盤データを端末単位に比較して相違する中継盤更新データと中継盤データの組を検出し、
データ変更部は、相違データ検出部により検出された相違する中継盤更新データと中継盤データを画面表示して何れか一方の選択を可能とし、選択された中継盤更新データ又は中継盤データを前記中継盤に送信して変更させる。
【００１５】
（グループ分け表示）
相違データ検出部は、所定のグループ分けに従って相違する中継盤データと中継盤更新データの組を画面表示させる。
【００１６】
（運用中の中継盤データの変更）
受信機は、火災報知設備の運用中に、中継盤データを選択的に画面表示して変更する運用データ変更部を備える。
【００１７】
（中継盤変更済データのバックアップ）
更に、受信機に、データ変更部により変更された中継盤データを読み出して外部の記憶媒体に記憶させるバックアップ部が設けられる。
【発明の効果】
【００１８】
（基本的な効果）
本発明は、受信機から引き出された伝送路に火災感知器及び連動機器を含む端末が接続され、受信機に端末のデータが受信機データとして記憶され、受信機データを用いて火災を監視する火災報知設備に於いて、受信機に、外部から読み込まれた更新データと受信機データを端末単位に比較して相違する更新データと受信機データの組を検出する相違データ検出部と、相違データ検出部により検出された相違する更新データと受信機データの組を画面表示して何れか一方の選択を可能とし、選択された更新データ又は受信機データに変更するデータ変更部とが設けられたため、工場等の製造元で更新データを作製して受信機に読み込むと、そのとき受信機に記憶されている受信機データとの相違が端末単位に検出されて画面表示され、運用中に受信機自体で変更していた受信機データについても更新データとの相違が検出されて画面表示され、担当者は更新データを使用するか受信機自体で変更された受信機データを使用するかを判断して選択することで、適切なデータに変更することができ、運用中に受信機自体で変更された受信機データを考慮した適切なデータ変更を効率良く行うことができる。
【００１９】
（グループ分け表示の効果）
また、データ変更部は、所定のグループ分けに従って相違する受信機データと更新データの組を画面表示させるようにしたため、例えば、住棟、階別、地区、感知器種別、感度等のグループ分けに従って相違する受信機データと更新データを画面表示され、更新データと受信機データの相違点がどこにあるかが簡単且つ明確に把握でき、更新データと受信機データの選択を、運用中に受信機自体で変更された受信機データを考慮して適切に行うことができる。
【００２０】
（運用中の受信機データの変更による効果）
また、受信機は、火災報知設備の運用中に、受信機データを選択的に画面表示して変更する運用データ変更部を備えるようにしたため、運用中に必要に応じて受信機データを、受信機画面を使用して簡単且つ容易に行うことができ、外部から更新データにより受信機データを変更する場合にも、運用中に受信機自体で変更された受信機データと更新データの相違が表示されて選択可能となることから、製造元によるデータ変更を意識することなく、必要に応じて受信機自体で受信機データを変更することができる。
【００２１】
（変更済データのバックアップによる効果）
更に、データ変更部により変更された受信機データを読み出して外部の記憶媒体に記憶させるバックアップ部が設けられたため、データ変更後に受信機障害等で変更済みの受信機データが失われても、受信機データがバックアップされたＵＳＢメモリを受信機にセットして簡単に回復させることができる。
【００２２】
（分散システムの中継盤データの変更による効果）
また、受信機に対しネットワーク回線を介して１又は複数の中継盤が接続され、中継盤から引き出された伝送路に火災感知器及び連動機器を含む端末が接続され、中継盤に端末のデータが中継盤データとして記憶され、中継盤データを用いて中継盤が火災を監視すると共に中継盤で火災を検出した場合に受信機に通知して火災警報を出力させる分散システムが構成されており、相違データ検出部は、外部から読み込まれた中継盤更新データと中継盤に記憶された中継盤データを端末単位に比較して相違する中継盤更新データと中継盤データの組を検出し、データ変更部は、相違データ検出部により検出された相違する中継盤更新データと中継盤データの組を画面表示して何れか一方の選択を可能とし、選択された中継盤更新データ又は中継盤データを前記中継盤に送信して変更させるようにしたため、分散システムの中継盤についても、工場等の製造元で中継盤の更新データを作製して受信機に読み込むと、そのとき中継盤に記憶されている中継盤データとの相違が端末単位に検出されて受信機に画面表示され、運用中に受信機で変更していた中継盤データについても更新データとの相違が検出されて画面表示され、担当者は更新データを使用するか運用中に受信機で変更された中継盤データを使用するかを判断して選択することで、適切なデータに変更することができ、運用中に受信機で変更された中継盤データを考慮した適切なデータ変更を効率良く行うことができる。
【００２３】
（グループ分け表示の効果）
また、相違データ検出部は、所定のグループ分けに従って相違する中継盤データと中継盤更新データの組を画面表示させるようにしたため、例えば、住棟、階別、地区、感知器種別、感度等のグループ分けに従って相違する中継盤データと更新データが画面表示され、中継盤の更新データと運用中の中継盤データの相違点がどこにあるかが簡単且つ明確に把握でき、中継盤の更新データと中継盤データの選択を、運用中に受信機自体で変更された中継盤データを考慮して適切に行うことができる。
【００２４】
（運用中の中継盤データの変更による効果）
また、受信機は、火災報知設備の運用中に、中継盤データを選択的に画面表示して変更する運用データ変更部を備えたため、運用中に必要に応じて中継盤データを受信機画面を使用して簡単且つ容易に行うことができ、外部から中継盤更新データにより中継盤データを変更する場合にも、運用中に受信機で変更された中継盤データと中継盤更新データの相違が表示されて選択可能となることから、製造元によるデータ変更を意識することなく、必要に応じて受信機で中継盤データを変更することができる。
【００２５】
（中継盤変更済データのバックアップによる効果）
更に、受信機に、データ変更部により変更された中継盤データを読み出して外部の記憶媒体に記憶させるバックアップ部が設けられたため、データ変更後に中継盤障害等で変更済みの中継盤データが失われても、中継盤データがバックアップされたＵＳＢメモリを受信機にセットして簡単に回復させることができる。
【図面の簡単な説明】
【００２６】
【図１】受信機のデータを変更する火災報知設備の実施形態を示した説明図
【図２】受信機に記憶された受信機データの一例を示した説明図
【図３】変更データ選択画面の一例を示した説明図
【図４】変更データ選択画面の他の例を示した説明図
【図５】図１の受信機によるデータ変更制御を示したフローチャート
【図６】中継盤のデータを受信機からの制御により変更する火災報知設備の実施形態を示した説明図
【図７】図６の受信機による中継盤データの変更制御を示したフローチャート
【発明を実施するための形態】
【００２７】
［火災報知設備］
（火災報知設備の概要）
図１は受信機のデータを変更する火災報知設備の実施形態を示した説明図である。図１に示すように、火災報知設備が設置された建物の一階の管理人室などには例えばＲ型の受信機１０が設置され、受信機１０から警戒区域に対し系統毎に分けて伝送路１２−１〜１２−３が引き出されている。
【００２８】
伝送路１２−１には固有のアドレスが設定された伝送機能を有する複数のアナログ火災感知器１４が接続され、また、固有のアドレスが設定された伝送機能を有する中継器１６から引き出された感知器回線１７にオンオフ火災感知器１８及び発信機２０が接続されている。
【００２９】
伝送路１２−２には複数のアナログ火災感知器１４の接続に加え、固有のアドレスが設定された伝送機能を有するアドレッサブル発信機２２が接続されている。更に、伝送路１２−３には固有のアドレスが設定された伝送機能を有する中継器１６を介して防排煙機器２４が接続されている。
【００３０】
ここで、伝送路１２−１〜１２−３に接続されるアナログ火災感知器１４、中継器１６等の端末機器に設定される最大アドレス数は例えば２５５としており、伝送路１２には最大２５５台のアナログ火災感知器１４を含む端末機器が接続できる。なお、以下の説明では、伝送路１２−１〜１２−３を区別する必要がない場合は、伝送路１２という場合がある。
【００３１】
（受信機の機能構成）
受信機１０には、メインＣＰＵ２６と複数のサブＣＰＵ基板２８−１〜２８−３が設けられ、サブＣＰＵ基板２８−１〜２８−３にはサブＣＰＵ３０−１〜３０−３と伝送部３２−１〜３２−３が設けられている。
【００３２】
メインＣＰＵ２６とサブＣＰＵ３０−１〜３０−３は、シリアル転送バス３４で接続されており、相互にデータを送受信する。なお、以下の説明では、サブＣＰＵ３０−１〜３０−３及び伝送部３２−１〜３２−３を区別する必要がない場合はサブＣＰＵ３０及び伝送部３２という場合がある。
【００３３】
メインＣＰＵ２６には、液晶表示パネル等を用いたタッチパネル付きのディスプレイ３６、火災、ガス漏れ、障害の代表灯、ＬＥＤ表示灯等が設けられた表示部３８、火災監視に必要な各種のスイッチが設けられた操作部４０、スピーカが設けられた音響警報部４２、及び、移報部４４が接続されている。
【００３４】
また、メインＣＰＵ２６にはＵＳＢポート４６が設けられ、可搬自在なＵＳＢメモリ５６をセットすることでデータの読出しや書込みを可能としている。
【００３５】
メインＣＰＵ２６にはプログラムの実行により実現される機能として火災監視制御部４８が設けられる。また、メインＣＰＵ２６には、火災監視制御に使用するアナログ火災感知器１４、オンオフ火災感知器１８が接続された中継器１６、アドレッサブル発信機２２、防排煙機器２４が接続された中継器１６等の端末機器に関する受信機データ５０が記憶されている。
【００３６】
メインＣＰＵ２６に対する受信機データ５０の記憶は、火災報知設備の施工段階で工場等の製造元にて作製され、ＵＳＢメモリ５６に格納して受信機１０のＵＳＢポート４６にセットし、受信機１０を所定の操作により施工モードで立ち上げた状態で、ＵＳＢメモリ５６から受信機データを読み出し、メインＣＰＵ２６のメモリ上に受信機データ５０を記憶している。
【００３７】
図２は受信機に記憶された受信機データの一例を示した説明図である。図２に示すように、受信機データ５０は、系統、アドレス、種別、回線、棟、階、地区毎に分けられており、任意番号となる表示メッセージとして例えば「１階ロビー」「１階  第１会議室  東」といった地区名が格納され、続いて、連動先の機器情報として系統とアドレスを組み合わせた「１−１１１」「１−１１２」「１−１１３」といった連動先が格納されている。
【００３８】
また、メインＣＰＵ２６は運用データ変更部の機能を備え、メインＣＰＵ２６に記憶された受信機データ５０は、火災報知設備の運用中に、必要に応じて受信機１０自体で変更することができる。運用データ変更部による受信機データ５０の変更は、所定の操作により受信機１０を施工モードに切り替え、この状態で変更を必要とする端末の受信機データ５０をディスプレイ３６上に表示し、例えば表示メッセージとして示された火災感知器の任意番号を変更して書き込むことで行う。このため運用中に受信機１０で変更された受信機データ５０は、その後、製造元で作製される更新データに反映されることはない。
【００３９】
（受信機の火災監視制御）
サブＣＰＵ基板２８−１のサブＣＰＵ３０−１を例にとると、伝送部３２−１に指示してアナログ火災感知器１４との間で所定の通信プロトコルに従って信号を送受信することで、火災監視制御を行っている。伝送部３２−１からアナログ火災感知器１４に対する下り信号は電圧モードで伝送している。この電圧モードの信号は、伝送路１２−１の線路電圧を例えば１８ボルトと３０ボルトの間で変化させる電圧パルスとして伝送される。
【００４０】
これに対しアナログ火災感知器１４から伝送部３２−１に対する上り信号は電流モードで伝送される。この電流モードにあっては、伝送路１２−１に伝送データのビット１のタイミングで信号電流を流し、いわゆる電流パルス列として上り信号が受信機１０に伝送される。
【００４１】
サブＣＰＵ３０−１による火災監視制御は、通常の監視中にあっては、一定周期毎に、伝送部３２−１に指示して、一括ＡＤ変換コマンドを含むブロードキャストの一括ＡＤ変換信号を送信しており、この一括ＡＤ変換信号を受信したアナログ火災感知器１４は、煙濃度又は温度をセンサデータとして検出して保持する。続いて、サブＣＰＵ３０−１は、端末アドレスを順次指定したポーリングコマンドを含む呼出信号を送信している。
【００４２】
アナログ火災感知器１４は自己アドレスに一致するアドレスを持つ呼出信号を受信すると、そのとき保持しているセンサデータを含む応答信号を伝送部３２−１に送信する。また、アナログ火災感知器１４は火災を検出すると伝送部３２−１に対し火災割込み信号を送信する。
【００４３】
サブＣＰＵ３０−１は伝送部３２−１を介して火災割込み信号を受信すると、グループ検索コマンド信号を送信して火災を検出しているアナログ火災感知器１４を含むグループを特定し、続いて、グループ内検索コマンド信号を送信して火災を検出しているアナログ火災感知器１４のアドレスを特定してセンサのアナログデータを集中的に収集し、シリアル転送バス３４を介してメインＣＰＵ２６に送信する。
【００４４】
メインＣＰＵ２６はサブＣＰＵ３０−１から受信したアナログデータを所定の火災判定レベルと比較しており、アナログデータが火災判定レベルに達した場合に火災と判定し、表示部３８の火災代表灯を点灯し、音響警報部４２のスピーカから火災発生を示す所定の主音響警報を出力させ、ディスプレイ３６に火災が検出された感知器アドレスに基づき火災発生場所を含む火災警報情報を表示させ、更に、移報部４４により火災移報信号を外部に出力して所定の移報制御等を行わせる。
【００４５】
サブＣＰＵ基板２８−２に設けられたサブＣＰＵ３０−２と伝送部３２−２による火災監視制御も、前述したサブＣＰＵ基板２８−１の場合と同じになる。また、サブＣＰＵ基板２８−３に設けられたサブＣＰＵ３０−３と伝送部３２−３については、メインＣＰＵ２６で火災が検知された場合に図２に示した受信機データ５０の連動先に基づき防排煙機器２４の連動制御が行なわれる。
【００４６】
［受信機データの変更］
（データ変更の制御機能）
受信機１０に設けられたメインＣＰＵ２６には、施工モードで記憶された受信機データ５０を変更するため、プログラムの実行により実現される機能として、相違データ検出部５２とデータ変更部５４が設けられる。
【００４７】
受信機データ５０を変更する場合には、火災監視モードで動作している運用中の受信機１０を所定の操作により施工モードに切替え、続いて、ＵＳＢポート４６に製造元の工場等で作成した更新データ６０が格納されたＵＳＢメモリ５６をセットし、所定のデータ変更操作行うことでデータ変更制御が開始される。
【００４８】
データ変更制御が開始されると、相違データ検出部５２は、ＵＳＢメモリ５６から更新データ６０を読み込み、受信機データ５０と端末単位に比較し、相違する端末単位の更新データと受信機データの組を検出する。
【００４９】
例えば、図２の受信機データ５０を例と取ると、各行の「系統、アドレス、種別、回線、棟、階、地区、表示メッセージ、連動先」からなるデータが一つの端末データであり、これを更新データ６０の中の同じ端末データと比較し、データ内容の少なくとも一つが相違した場合に、相違する端末単位の受信機データと更新データの組として検出する制御を行う。
【００５０】
データ変更部５４は、相違データ検出部５２により検出された相違する端末単位の受信機データと更新データの組をディスプレイ３６に画面表示し、何れか一方の選択を可能とし、選択された受信機データ又は更新データに変更する制御を行う。
【００５１】
（データ選択画面）
図３は変更データ選択画面の一例を示した説明図、図４は変更データ選択画面の他の例を示した説明図である。
【００５２】
図３に示すように、データ選択画面６２は、施工モードからデータ管理に入ることで表示され、画面上部にガイダンス６４として「盤内のデータと以下の内容が異なります。どちらのデータを反映しますか？」が表示され、その下に、データの中の何が相違するかを示す相違項目６６として「火災感知器の任意番号」が表示される。
【００５３】
続いて、表形式で受信機データを示す盤内のデータ６８として「００−０１−１２７−１＃３２  １Ｆ１０５号室」が表示され、これに並べて更新データを示すＵＳＢメモリのデータ７０として「００−０１−１２７−１＃３２  １Ｆ１１５号室」が表示される。
【００５４】
この場合、盤内のデータ６８は火災感知器の任意番号となる表示メッセージが「１Ｆ１０５号室」であるのに対し、ＵＳＢメモリのデータ７０は同じ火災感知器の任意番号となる表示メッセージが「１Ｆ１１５号室」と異なっている。
【００５５】
このようなデータ選択画面６２の表示に対し、担当者は盤内のデータ６８とＵＳＢメモリのデータ７０を比較し、正しい方のデータを画面のタッチ操作等により選択すると、選択されたデータによる受信機データ５０の変更が行われる。
【００５６】
図４に示すデータ選択画面７４は、相違項目６６として「感度」が表示されており、この場合、盤内のデータ６８とＵＳＢメモリのデータ７０を比較すると、同じアナログ火災感知器「０１−０２−２２５−２」であるが、盤内のデータ６８は感度を決める煙濃度［％／ｍ］の値が「注意５．２  火災７．５  連動１５．０」であるのに対し、ＵＳＢメモリのデータ７０は「注意２．７  火災５．０  連動１５．０」となっている。
【００５７】
このようなデータ選択画面７４の感度が相違したデータの表示に対し、担当者は盤内のデータ６８とＵＳＢメモリのデータ７０を比較し、正しい方のデータを画面のタッチ操作等により選択すると、選択されたデータによる受信機データ５０の変更が行われる。
【００５８】
本実施形態のデータ選択画面にあっては、端末単位で比較した受信機データと更新データの相違を検出した場合に、両方のデータをそのまま表示せず、データの中のどの部分が相違しているかをグループ分けして相違項目として示しており、受信機データと更新データとの比較判断が簡単且つ容易にしかも誤りなくできる。
【００５９】
このようにデータ選択画面を使用して全ての相違する受信機データと更新データの組についてのデータ選択が終了すると、選択されたデータを有効な更新データとして受信機データ５０の変更が行われる。
【００６０】
また、メインＣＰＵ２６は、更新データ６０による受信機データ５０のデータ変更が完了すると、ＵＳＢポート４６にセットしているＵＳＢメモリ５６に変更の済んだ受信機データ５０をバックアップデータとして書き込むバックアップ制御を行い、ＵＳＢメモリ５６によりバックアップデータとして管理することを可能とする。
【００６１】
更に、受信機データ５０の更新データ６０に基づくデータ変更が完了した場合には、所定の操作により、施工モードを解除して火災監視モードに切り替えることで、データ変更の済んだ受信機データ５０を使用した火災監視制御が開始される。
【００６２】
（データ変更制御）
図５は図１の受信機によるデータ変更制御を示したフローチャートであり、メインＣＰＵ２６による制御動作となる。
【００６３】
図６に示すように、施工モードに切り替えられた状態でメインＣＰＵ２６はステップＳ１でＵＳＢポート４６に対する更新データ６０を格納したＵＳＢメモリ５６のセットありを判別するとステップＳ２に進み、所定のデータ読込み操作を判別するとステップＳ３に進んでＵＳＢメモリ５６から更新データ６０を読込み、ステップＳ４で更新データ６０と受信機データ５０を端末単位に比較し、端末単位の相違するデータの組を検出し、ステップＳ５で相違データの組を、図３又は図４に示したように、ディスプレイ３６にデータ選択画面として表示する。
【００６４】
続いて、メインＣＰＵ２６は、ステップＳ６でデータ選択画面に対する選択操作を判別するとステップＳ７に進み、選択データを更新データとして保持し、ステップＳ８で全ての相違データの選択が済むまでステップＳ６からの処理を繰り返した後、ステップＳ９でデータ変更操作を判別するとステップＳ１０に進んで受信機データを更新データに変更し、ステップＳ１１でＵＳＢメモリ５６に変更済みの受信機データをバックアップデータとして出力して書き込むバックアップを行い、一連のデータ変更処理を終了する。
【００６５】
［受信機と中継盤で構成された分散システムのデータ変更］
図６は中継盤のデータを受信機からの制御により変更する火災報知設備の実施形態を示した説明図である。
【００６６】
監視対象とする施設が複数の住棟に分かれる等して大規模になる場合には、図６に示すように、防災センター等に設置した受信機１０に対し例えば住棟毎に分けて中継盤１００が設置され、受信機１０と中継盤１００の間をイーサネット（登録商標）等のネットワーク回線１０６により通信接続している。
【００６７】
受信機１０は図１に示したと同じであり、これに対し中継盤１００は図１の受信機１０からディスプレイ３６、表示部３８、操作部４０及び音響警報部４２を含む操作表示機能を除いた構成となり、それ以外は、受信機１０と基本的に同じとなり、警戒区域に引き出された伝送路１０２にアナログ火災感知器１４を含む端末機器が受信機１０と同様に接続され、更に、中継盤１００毎に受信機データ５０に相当する中継盤データ１０４が記憶されている。
【００６８】
また、受信機１０は、火災報知設備の運用中に、中継盤データ１０４を選択的に画面表示して変更する運用データ変更部の機能を備えている。
【００６９】
このため受信機１０の受信機データ５０と同様に、中継盤１００の伝送路に接続されたアナログ火災感知器１４を含む端末機器の変更、追加、撤去に対しては、中継盤１００に記憶している中継盤データ１０４を変更する必要がある。
【００７０】
中継盤１００に記憶されている中継盤データ１０４のデータ変更は、受信機１０に設けられた相違データ検出部５２及びデータ変更部５４により行われる。
【００７１】
中継盤データ１０４を変更する場合には、火災監視モードで動作している運用中の受信機１０及び中継盤１００を所定の操作により施工モードに切替え、続いて、受信機１０のＵＳＢポートに製造元の工場等で作成した中継盤１００の更新データが格納されたＵＳＢメモリ５６をセットし、所定のデータ変更操作行うことでデータ変更制御が開始される。
【００７２】
データ変更制御が開始されると、相違データ検出部５２は、ＵＳＢメモリ５６から更新データ６０を読み込み、続いて、指定された中継盤１００にネットワーク回線１０６によりデータ転送要求を行って中継盤データ１０４を取得し、更新データと中継盤データ１０４と端末単位に比較し、相違する端末単位の更新データと受信機データの組を検出する。
【００７３】
続いてデータ変更部５４が、相違データ検出部５２により検出された相違する端末単位の更新データと中継盤データの組を、図３又は図４に示した同様に、受信機１０のディスプレイ３６に画面表示し、何れか一方のデータの選択を可能とし、選択された更新データ又は中継盤データに変更する制御を行う。
【００７４】
図７は図６の受信機による中継盤データ変更制御を示したフローチャートである。図７に示すように、受信機１０及び中継盤１００が施工モードに切り替えられた動作状態で受信機１０はステップＳ２１でＵＳＢポートに対する中継盤１００の更新データを格納したＵＳＢメモリ５６のセットありを判別するとステップＳ２２に進み、所定のデータ読込み操作を判別するとステップＳ２３に進み、ＵＳＢメモリから中継盤１００の更新データを読込み、ステップＳ２４で中継盤１００からネットワーク回線１０６を介して中継盤データ１０４を取得する。
【００７５】
続いて、受信機１０はステップＳ２５で更新データと中継盤データ１０４を端末単位に比較し、端末単位の相違するデータの組を検出し、ステップＳ２６で相違データの組を図３又は図４に示したようにディスプレイにデータ選択画面を表示する。
【００７６】
続いて、受信機１０は、ステップＳ２７でデータ選択画面に対する選択操作を判別するとステップＳ２８に進み、選択データを更新データとして保持し、ステップＳ２９で全ての相違データの選択が済むまでステップＳ２７からの処理を繰り返した後、ステップＳ３０でデータ変更操作を判別するとステップＳ３１に進んで選択された更新データをネットワーク回線１０６を介して中継盤１００に送信して中継盤データ１０４を変更し、ステップＳ３２でＵＳＢメモリ５６に変更済みの中継盤データをバックアップデータとして出力して書き込むバックアップを行い、一連の中継盤１００に対するデータ変更処理を終了する。
【００７７】
［本発明の変形例］
（Ｐ型受信機）
上記の実施形態は、Ｒ型の受信機からの伝送路を介してＲ型の火災感知器を接続した火災報知設備を例にとっているが、Ｐ型の受信機から引き出した感知器回線にアドレスを設定すると共に伝送機能を備えたアドレッサブル火災感知器を接続した火災報知設備についても、同様に、受信機に格納された受信機データを外部から読み込んだ更新データにより変更する場合に、外部から読み込まれた更新データと受信機データを比較して相違する更新データと受信機データの組を検出し、相違する更新データと受信機データの組を画面表示して何れか一方の選択を可能とし、選択された更新データ又は受信機データに変更するようにしても良い。
【００７８】
（ＵＳＢメモリ）
上記の実施形態は、更新データをＵＳＢメモリに格納して受信機にセットしているが、ＵＳＢメモリ以外の可搬型の不揮発メモリであれば、適宜の記憶媒体が使用できる。また、記憶媒体を使用せず、有線又は無線の通信回線を使用して更新データを受信機に送るようにしても良い。
【００７９】
（受信機データ）
受信機データは全て、もしくは特定の条件で抽出して一覧表示できるようにしても良い。その際、直前の更新データを反映した項目を強調表示するようにしても良い。また、受信機データの一覧表示結果や更新データを反映した結果を印字するようにしても良い。
【００８０】
また、更新データと受信機データとの比較更新の選択結果を記憶するようにしても良い。さらに、過去に比較されて採用されなかった更新データと、新たに外部から読み込まれた更新データが同じ内容であった場合、相違する更新データと受信機データの一覧表示に当該データを表示しないようにする設定手段を有するようにしても良い。
【００８１】
（その他）
また、本発明はその目的と利点を損なうことのない適宜の変形を含み、更に上記の実施形態に示した数値による限定は受けない。
【符号の説明】
【００８２】
１０：受信機
１２，１２−１〜１２−３：伝送路
１４：アナログ火災感知器
１６：中継器
１７：感知器回線
１８：オンオフ火災感知器
２０：発信機
２２：アドレッサブル発信機
２４：防排煙機器
２６：メインＣＰＵ
２８−１〜２８−３：サブＣＰＵ基板
３０−１〜３０−３：サブＣＰＵ
３２−１〜３２−３：伝送部
３４：シリアル転送バス
３６：ディスプレイ
３８：表示部
４０：操作部
４２：音響警報部
４４：移報部
４６：ＵＳＢポート
４８：火災監視制御部
５０：受信機データ
５２：相違データ検出部
５４：データ変更部
５６：ＵＳＢメモリ
６０：更新データ
６２，７４：データ選択画面
６４：ガイダンス
６６：相違内容
１００：中継盤
１０４：中継盤データ
１０６：ネットワーク回線
【図１】
2019200446.tif 000003
【図２】
2019200446.tif 000004
【図３】
2019200446.tif 000005
【図４】
2019200446.tif 000006
【図５】
2019200446.tif 000007
【図６】
2019200446.tif 000008
【図７】
2019200446.tif 000009